(57)【特許請求の範囲】
【請求項１】
記録媒体に記録されている画像を再生する再生装置であって、
自装置の姿勢を検出する姿勢検出手段と、
スライドショー実行のための操作を受け付ける受け付け手段と、
前記受け付け手段に対してスライドショー実行のための操作がなされた場合に、前記姿勢検出手段で検出された姿勢に応じて、スライドショーで再生する画像が格納されている格納場所を決定する再生元決定手段と、
前記再生元決定手段で決定された格納場所に含まれる画像を再生する制御を行う再生制御手段と、
前記再生元決定手段により決定されるスライドショーで再生する画像の格納場所を、自装置の姿勢ごとにあらかじめ設定する再生元設定手段と、
を有することを特徴とする再生装置。
【請求項２】
前記再生元決定手段は、前記スライドショーで再生する画像が格納されている格納場所として、前記記録媒体に設けられたフォルダを決定し、
前記再生制御手段は、前記再生元決定手段で決定されたフォルダに含まれている画像を再生する制御を行うことを特徴とする請求項１に記載の再生装置。
【請求項３】
当該再生装置は、複数の記録媒体を有しており、
前記再生元決定手段は、前記スライドショーで再生する画像が格納されている格納場所として、前記複数の記録媒体のうちのいずれかの記録媒体を決定し、
前記再生制御手段は、前記再生元決定手段で決定された記録媒体に記録されている画像を再生する制御を行うことを特徴とする請求項１に記載の再生装置。
【請求項４】
記録媒体に記録されている画像を再生し、スライドショー実行のための操作を受け付ける受け付け手段を備えた再生装置の制御方法であって、
自装置の姿勢を検出する姿勢検出ステップと、
前記受け付け手段に対してスライドショー実行のための操作がなされた場合に、前記姿勢検出ステップで検出された姿勢に応じて、スライドショーで再生する画像が格納されている格納場所を決定する再生元決定ステップと、
前記再生元決定ステップで決定された格納場所に含まれる画像を再生する制御を行う再生制御ステップと、
前記再生元決定ステップにより決定されるスライドショーで再生する画像の格納場所を、自装置の姿勢ごとにあらかじめ設定する再生元設定ステップと、
を有することを特徴とする再生装置の制御方法。
【請求項５】
記録媒体に記録されている画像を再生し、スライドショー実行のための操作を受け付ける受け付け手段を備えた再生装置の制御方法をコンピュータに実行させるためのプログラムであって、
自装置の姿勢を検出する姿勢検出ステップと、
前記受け付け手段に対してスライドショー実行のための操作がなされた場合に、前記姿勢検出ステップで検出された姿勢に応じて、スライドショーで再生する画像が格納されている格納場所を決定する再生元決定ステップと、
前記再生元決定ステップで決定された格納場所に含まれる画像を再生する制御を行う再生制御ステップと、
前記再生元決定ステップにより決定されるスライドショーで再生する画像の格納場所を、自装置の姿勢ごとにあらかじめ設定する再生元設定ステップと、
をコンピュータに実行させるためのプログラム。
【請求項６】
請求項５に記載のプログラムを記憶したことを特徴とするコンピュータ読み取り可能な記憶媒体。
【発明の詳細な説明】
【技術分野】
【０００１】
本発明は、記録媒体に記録されている画像を再生する再生装置及びその制御方法、当該制御方法をコンピュータに実行させるためのプログラム、並びに、当該プログラムを記憶したコンピュータ読み取り可能な記憶媒体に関するものである。
【背景技術】
【０００２】
従来の撮影装置においては、例えば、撮影時の撮影装置本体の姿勢に関わらず、同一フォルダに連続して撮影画像の記録が行われている。また、従来の撮影装置においては、同様に、例えば撮影画像の再生時においても、撮影装置本体の姿勢に関わらず、所定のフォルダ内の撮影画像を再生することが行われている。この点、例えば、下記の特許文献１には、撮影時の角度情報により、再生画像の表示を補正する技術が示されている。
【０００３】
【特許文献１】特開２００４−１０４２１３号公報
【発明の開示】
【発明が解決しようとする課題】
【０００４】
しかしながら、従来の撮影装置では、全ての撮影画像ファイルが同一のフォルダ等に存在するため、撮影画像ファイルを１つ１つ開かないと横画像なのか縦画像なのかを判別することが困難であるという問題があった。さらに、従来の撮影装置では、全ての撮影画像ファイルが同一のフォルダ等に存在するため、例えば、スライドショーの再生を実行した際に、縦画像と横画像とが混在していて見難いという問題もあった。
【０００５】
本発明は上述した問題点に鑑みてなされたものであり、記録される撮影画像ファイルを１つ１つ開くこと無く、その撮影画像の向き（横画像なのか縦画像なのか等）を把握できるようにすることを目的とする。さらに、スライドショー等の再生を行った際においても、再生画像を見易くできるようにすることを目的とする。
【課題を解決するための手段】
【０００６】
本発明の再生装置は、記録媒体に記録されている画像を再生する再生装置であって、自装置の姿勢を検出する姿勢検出手段と、スライドショー実行のための操作を受け付ける受け付け手段と、前記受け付け手段に対してスライドショー実行のための操作がなされた場合に、前記姿勢検出手段で検出された姿勢に応じて、スライドショーで再生する画像が格納されている格納場所を決定する再生元決定手段と、前記再生元決定手段で決定された格納場所に含まれる画像を再生する制御を行う再生制御手段と、前記再生元決定手段により決定されるスライドショーで再生する画像の格納場所を、自装置の姿勢ごとにあらかじめ設定する再生元設定手段と、を有する。
【０００７】
本発明の再生装置の制御方法は、記録媒体に記録されている画像を再生し、スライドショー実行のための操作を受け付ける受け付け手段を備えた再生装置の制御方法であって、自装置の姿勢を検出する姿勢検出ステップと、前記受け付け手段に対してスライドショー実行のための操作がなされた場合に、前記姿勢検出ステップで検出された姿勢に応じて、スライドショーで再生する画像が格納されている格納場所を決定する再生元決定ステップと、前記再生元決定ステップで決定された格納場所に含まれる画像を再生する制御を行う再生制御ステップと、前記再生元決定ステップにより決定されるスライドショーで再生する画像の格納場所を、自装置の姿勢ごとにあらかじめ設定する再生元設定ステップと、を有する。
【０００８】
本発明のプログラムは、記録媒体に記録されている画像を再生し、スライドショー実行のための操作を受け付ける受け付け手段を備えた再生装置の制御方法をコンピュータに実行させるためのプログラムであって、自装置の姿勢を検出する姿勢検出ステップと、前記受け付け手段に対してスライドショー実行のための操作がなされた場合に、前記姿勢検出ステップで検出された姿勢に応じて、スライドショーで再生する画像が格納されている格納場所を決定する再生元決定ステップと、前記再生元決定ステップで決定された格納場所に含まれる画像を再生する制御を行う再生制御ステップと、前記再生元決定ステップにより決定されるスライドショーで再生する画像の格納場所を、自装置の姿勢ごとにあらかじめ設定する再生元設定ステップと、をコンピュータに実行させるためのものである。
本発明のコンピュータ読み取り可能な記憶媒体は、前記プログラムを記憶する。
【発明の効果】
【０００９】
本発明によれば、記録される撮影画像ファイルを１つ１つ開くこと無く、その撮影画像の向き（横画像なのか縦画像なのか等）を把握することができる。さらに、スライドショー等の再生を行った際においても、再生画像を見易くすることが可能となる。
【発明を実施するための最良の形態】
【００１０】
以下、本発明を実施するための最良の形態について、添付図面を参照して説明する。
【００１１】
（第１の実施形態）
図１は、本発明の第１の実施形態に係る撮影装置の概略構成の一例を示す図である。
図１に示すように、撮影装置１００は、レンズ１０１、撮像部１０２、画像信号処理部１０３、画像処理部１０４、表示制御部１０５、表示部１０６、システムコントロール部１０７を有して構成されている。さらに、撮影装置１００は、操作入力部１０８、姿勢検出部１０９、内蔵記録媒体１１０、記録媒体インターフェース部１１１、第１の記録媒体１１２、第２の記録媒体１１３を有して構成されている。
【００１２】
レンズ１０１は、被写体の光学像を撮影装置１００の内部（撮像部１０２）に導く光学手段である。
【００１３】
撮像部１０２は、システムコントロール部１０７の制御に基づいて、レンズ１０１から導かれた被写体の光学像（被写体像）を電気信号である画像信号に変換して、被写体の撮像を行う。この撮像部１０２は、例えば、ＣＣＤで構成されている。
【００１４】
画像信号処理部１０３は、システムコントロール部１０７の制御に基づいて、撮像部１０２から出力された画像信号を処理して、画像信号に基づく画像データを出力する。
【００１５】
画像処理部１０４は、システムコントロール部１０７の制御に基づいて、画像信号処理部１０３から出力された画像データに対して、圧縮／伸張処理や拡大／縮小処理などの各種の画像処理を行う。
【００１６】
表示制御部１０５は、システムコントロール部１０７の制御に基づいて、例えば、画像処理部１０４で画像処理が施された画像データに基づく画像を、表示部１０６に表示する制御を行う。
【００１７】
表示部１０６は、表示制御部１０５の制御に基づいて、画像を表示する。
【００１８】
システムコントロール部１０７は、撮影装置１００における動作を統括的に制御するものであり、必要に応じて、撮影装置１００の各構成部の制御を行う。
【００１９】
操作入力部１０８は、操作者（ユーザ）の操作により入力された入力情報をシステムコントロール部１０７に入力するための入力手段である。この操作入力部１０８には、例えば、メニュー画面等を表示するための表示画面や、電源スイッチ、動作切替スイッチ、各種のキー等が構成されている。この操作入力部１０８に構成される各種のキーとしては、フォトキー、スライドショーキー、サーチ選択キー、サーチ実行キー、動画撮影キー、再生スイッチ、画像送りスイッチ、画像戻しスイッチ、画像表示キー、設定キーなどが挙げられる。
【００２０】
姿勢検出部１０９は、システムコントロール部１０７の制御に基づいて、自装置（即ち、撮影装置１００の撮影装置本体）の姿勢を検出するものである。
【００２１】
内蔵記録媒体１１０は、例えば、撮影された撮影画像データを撮影画像ファイルとして記録する記録媒体であり、例えば、ハードディスク（ＨＤＤ）で構成されている。また、内蔵記録媒体１１０には、必要に応じて、システムコントロール部１０７が各種の制御を実行する際に用いる各種のデータやプログラム等が記録されている。
【００２２】
記録媒体インターフェース部１１１は、システムコントロール部１０７の制御に基づいて、各種の記録媒体（内蔵記録媒体１１０、第１の記録媒体１１２、第２の記録媒体１１３）への記録処理や読み出し処理を行う。
【００２３】
第１の記録媒体１１２及び第２の記録媒体１１３は、撮影装置１００に装着された記録媒体であり、例えば、ＳＤカードで構成されている。本例では、第１の記録媒体１１２及び第２の記録媒体１１３は、ＳＤカードで構成されるとしているが、例えば、テープや、ＤＶＤなどで構成されるものであってもよい。
【００２４】
なお、図１に示す撮影装置１００では、内蔵記録媒体１１０、第１の記録媒体１１２及び第２の記録媒体１１３の複数の記録媒体は、撮影画像データを記録するための記録手段を構成するものである。
【００２５】
図２は、本発明の第１の実施形態に係る撮影装置の画像記録方法における処理手順の一例を示すフローチャートである。具体的に、図２に示すフローチャートには、例えば、ＤＶＣデジタルカムコーダ等の撮影装置１００において、静止画撮影動作時にフォトキーが押されて、記録媒体内の設定されたフォルダに撮影画像ファイルを記録（保存）するまでの処理が示されている。
【００２６】
撮影装置１００の操作入力部１０８における電源スイッチがＯＮされて、操作入力部１０８における動作切替スイッチがＣＡＭＥＲＡ状態となると、図２に示すフローチャートが開始される。
【００２７】
まず、ステップＳ１０１において、システムコントロール部１０７は、操作入力部１０８におけるフォトキーが操作されて当該フォトキーがＯＮになったか否かを判断する。この判断の結果、フォトキーがＯＮになっていない場合には、フォトキーがＯＮになるまで、ステップＳ１０１で待機する。
【００２８】
一方、ステップＳ１０１の判断の結果、フォトキーがＯＮになった場合には、ステップＳ１０２に進む。ステップＳ１０２に進むと、姿勢検出部１０９は、システムコントロール部１０７の制御に基づいて、当該撮影装置１００の撮影装置本体の姿勢を検出する。具体的に、姿勢検出部１０９は、撮影装置本体の姿勢角度Ｘを算出して、当該撮影装置本体の姿勢の検出を行う。この際、姿勢検出部１０９は、例えば、ＣＣＤで構成される撮像部１０２の横辺が地面と平行であってその縦辺が地面に垂直である場合を姿勢角度０°として、撮影装置本体の姿勢角度Ｘを算出する。なお、図２に示すフローチャートでは、姿勢検出部１０９の姿勢検出により、当該撮影装置１００の撮影装置本体の姿勢が横上、縦右、横下、縦左の姿勢である場合について説明する。
【００２９】
続いて、ステップＳ１０３において、撮像部１０２で被写体の撮像が行われた後、画像処理部１０４は、画像信号処理部１０３から出力された撮影画像データに対して圧縮処理等を行って、撮影画像ファイルを作成する。
【００３０】
続いて、ステップＳ１０４において、システムコントロール部１０７は、ステップＳ１０２で検出された姿勢角度Ｘの値が、０°≦Ｘ＜４５°、或いは、３１５°≦Ｘ＜３６０°の範囲内であるか否かを判断する。
【００３１】
ステップＳ１０４の判断の結果、ステップＳ１０２で検出された姿勢角度Ｘの値が、０°≦Ｘ＜４５°、或いは、３１５°≦Ｘ＜３６０°の範囲内である場合には、ステップＳ１０５に進む。
【００３２】
ステップＳ１０５に進むと、システムコントロール部１０７は、ステップＳ１０３で作成された撮影画像ファイルの記録先を、「横姿勢（上）」フォルダに決定する。
【００３３】
ここで、記録先となるフォルダの設定について説明する。
図３は、記録先フォルダの設定を行うためのメニュー画面の一例を示す模式図である。このメニュー画面による記録先フォルダの設定は、例えば、撮影前に予め行われる。また、図４は、記録先フォルダが未設定である場合のメニュー画面の一例を示す模式図である。例えば、図３及び図４に示すメニュー画面は、操作入力部１０８の表示画面に表示される。この場合、図３及び図４に示すメニュー画面は、例えば、表示部１０６に表示されてもよい。
【００３４】
図３（ａ）には、撮影装置１００の撮影装置本体の姿勢と、当該姿勢で撮影された撮影画像ファイルを記録する、記録媒体の記録領域に形成されたフォルダとの対応関係が示されている。具体的に、図３（ａ）には、撮影装置本体の姿勢が横姿勢（上）である場合に、当該姿勢で撮影された撮影画像ファイルをＡフォルダに記録する設定の例が示されている。同様に、図３（ａ）には、撮影装置本体の姿勢が、それぞれ、縦姿勢（右）、縦姿勢（左）、横姿勢（下）である場合に、当該各姿勢で撮影された撮影画像ファイルを、それぞれ、Ｂフォルダ、Ｃフォルダ、Ａフォルダに記録する設定の例が示されている。
【００３５】
なお、図３（ａ）に示す例では、撮影装置本体の姿勢が横姿勢（下）である場合に、横姿勢（上）と同様にＡフォルダに撮影画像ファイルを記録する設定となっているが、例えば、Ｄフォルダに撮影画像ファイルを記録する設定であってもよい。この形態の場合には、撮影装置本体の姿勢として分類される４つの姿勢ごとに、それぞれ、異なるフォルダが割り当てられ、撮影画像ファイルが記録されることになる。また、各種のフォルダが形成される記録媒体としては、内蔵記録媒体１１０、第１の記録媒体１１２及び第２の記録媒体１１３のうちのいずれでもよく、特に限定されるものではないが、本実施形態では、内蔵記録媒体１１０を適用した例とする。
【００３６】
また、図３（ａ）に示す例では、撮影装置本体の姿勢ごとに、１つのフォルダを記録先として設定（決定）する例を示しているが、本実施形態では、例えば、複数のフォルダを同時に記録先として設定（決定）することも可能である。この場合、例えば、Ａフォルダ、Ｂフォルダ、・・・の順番に優先順位を設定し、優先順位の高いフォルダから撮影画像ファイルを記録するようにすることができる。
【００３７】
図３（ｂ）は、撮影装置１００の撮影装置本体の姿勢ごとに、記録先フォルダを設定する際のイメージを示したものである。また、記録先フォルダが未設定である場合には、図４に示すメニュー画面が表示されて、記録先フォルダの設定が行われることになる。
【００３８】
なお、本例では、図３に示すメニュー画面により記録先フォルダの設定を行うようにしているが、必ずしもこの形態に限定されるものではない。例えば、メニュー画面による記録先フォルダの設定を行わずに、撮影装置１００の各姿勢に対応させて、記録媒体に形成される初期フォルダを任意に割り当てるようにした形態であってもよい。
【００３９】
ここで、再び図２の説明に戻る。
図２のステップＳ１０５では、撮影画像ファイルの記録先が「横姿勢（上）」フォルダに決定されるため、図３に示す例では、記録媒体（本例では、内蔵記録媒体１１０）のＡフォルダが、記録先フォルダとして決定される。
【００４０】
一方、ステップＳ１０４の判断の結果、ステップＳ１０２で検出された姿勢角度Ｘの値が、０°≦Ｘ＜４５°、或いは、３１５°≦Ｘ＜３６０°の範囲内でない場合には、ステップＳ１０６に進む。
【００４１】
ステップＳ１０６に進むと、システムコントロール部１０７は、ステップＳ１０２で検出された姿勢角度Ｘの値が、４５°≦Ｘ＜１３５°の範囲内であるか否かを判断する。
【００４２】
ステップＳ１０６の判断の結果、ステップＳ１０２で検出された姿勢角度Ｘの値が、４５°≦Ｘ＜１３５°の範囲内である場合には、ステップＳ１０７に進む。
【００４３】
ステップＳ１０７に進むと、システムコントロール部１０７は、ステップＳ１０３で作成された撮影画像ファイルの記録先を、「縦姿勢（右）」フォルダに決定する。具体的に、図３に示す例では、「縦姿勢（右）」フォルダとして設定されている記録媒体（本例では、内蔵記録媒体１１０）のＢフォルダが、記録先フォルダとして決定される。
【００４４】
一方、ステップＳ１０６の判断の結果、ステップＳ１０２で検出された姿勢角度Ｘの値が、４５°≦Ｘ＜１３５°の範囲内でない場合には、ステップＳ１０８に進む。
【００４５】
ステップＳ１０８に進むと、システムコントロール部１０７は、ステップＳ１０２で検出された姿勢角度Ｘの値が、１３５°≦Ｘ＜２２５°の範囲内であるか否かを判断する。
【００４６】
ステップＳ１０８の判断の結果、ステップＳ１０２で検出された姿勢角度Ｘの値が、１３５°≦Ｘ＜２２５°の範囲内である場合には、ステップＳ１０９に進む。
【００４７】
ステップＳ１０９に進むと、システムコントロール部１０７は、ステップＳ１０３で作成された撮影画像ファイルの記録先を、「横姿勢（下）」フォルダに決定する。具体的に、図３に示す例では、「横姿勢（下）」フォルダとして設定されている記録媒体（本例では、内蔵記録媒体１１０）のＡフォルダが、記録先フォルダとして決定される。
【００４８】
一方、ステップＳ１０８の判断の結果、ステップＳ１０２で検出された姿勢角度Ｘの値が、１３５°≦Ｘ＜２２５°の範囲内でない場合（即ち、２２５°≦Ｘ＜３１５°の範囲内である場合）には、ステップＳ１１０に進む。
【００４９】
ステップＳ１１０に進むと、システムコントロール部１０７は、ステップＳ１０３で作成された撮影画像ファイルの記録先を、「縦姿勢（左）」フォルダに決定する。具体的に、図３に示す例では、「縦姿勢（左）」フォルダとして設定されている記録媒体（本例では、内蔵記録媒体１１０）のＣフォルダが、記録先フォルダとして決定される。
【００５０】
ステップＳ１０５、Ｓ１０７、Ｓ１０９、或いは、Ｓ１１０の処理が終了すると、ステップＳ１１１に進む。ここで、このステップＳ１０５、Ｓ１０７、Ｓ１０９、或いは、Ｓ１１０の処理を行うシステムコントロール部１０７は、記録先決定手段を構成する。
【００５１】
ステップＳ１１１に進むと、システムコントロール部１０７は、ステップＳ１０３で作成された撮影画像ファイルを、ステップＳ１０５、Ｓ１０７、Ｓ１０９、或いは、Ｓ１１０で決定した記録先フォルダに記録（保存）する制御を行う。ここで、このステップＳ１１１の処理を行うシステムコントロール部１０７は、記録制御手段を構成する。
【００５２】
そして、ステップＳ１１１の処理が終了すると、図２に示すフローチャートの処理が終了する。
【００５３】
第１の実施形態によれば、撮影装置の姿勢を検出し（Ｓ１０２）、その姿勢に応じて撮影画像ファイルを記録媒体の各フォルダに記録するようにしたので（Ｓ１０４〜Ｓ１１１）、撮影画像ファイルを撮影装置の姿勢ごとに分類して記録することができる。これにより、記録される撮影画像ファイルを１つ１つ開くこと無く、その撮影画像の向き（横画像なのか縦画像なのか等）を把握することができる。さらに、スライドショー等の再生を行う際においても、再生画像を見易くすることが可能となる。
【００５４】
（第２の実施形態）
次に、本発明の第２の実施形態について説明する。
第２の実施形態に係る撮影装置の概略構成は、図１に示す第１の実施形態に係る撮影装置１００と同様である。
【００５５】
図５は、本発明の第２の実施形態に係る撮影装置の画像記録方法における処理手順の一例を示すフローチャートである。具体的に、図５に示すフローチャートには、例えば、ＤＶＣデジタルカムコーダ等の撮影装置１００において、静止画撮影動作時にフォトキーが押されて、設定された記録媒体に撮影画像ファイルを記録（保存）するまでの処理が示されている。
【００５６】
撮影装置１００の操作入力部１０８における電源スイッチがＯＮされて、操作入力部１０８における動作切替スイッチがＣＡＭＥＲＡ状態となると、図５に示すフローチャートが開始される。
【００５７】
まず、ステップＳ２０１において、システムコントロール部１０７は、操作入力部１０８におけるフォトキーが操作されて当該フォトキーがＯＮになったか否かを判断する。この判断の結果、フォトキーがＯＮになっていない場合には、フォトキーがＯＮになるまで、ステップＳ２０１で待機する。
【００５８】
一方、ステップＳ２０１の判断の結果、フォトキーがＯＮになった場合には、ステップＳ２０２に進む。ステップＳ２０２に進むと、姿勢検出部１０９は、システムコントロール部１０７の制御に基づいて、当該撮影装置１００の撮影装置本体の姿勢を検出する。具体的に、姿勢検出部１０９は、撮影装置本体の姿勢角度Ｘを算出して、当該撮影装置本体の姿勢の検出を行う。この際、姿勢角度Ｘの基準となる姿勢角度０°の定義は、上述したステップＳ１０２と同様である。
【００５９】
続いて、ステップＳ２０３において、撮像部１０２で被写体の撮像が行われた後、画像処理部１０４は、画像信号処理部１０３から出力された撮影画像データに対して圧縮処理等を行って、撮影画像ファイルを作成する。
【００６０】
続いて、ステップＳ２０４において、システムコントロール部１０７は、ステップＳ２０２で検出された姿勢角度Ｘの値が、０°≦Ｘ＜４５°、或いは、３１５°≦Ｘ＜３６０°の範囲内であるか否かを判断する。
【００６１】
ステップＳ２０４の判断の結果、ステップＳ２０２で検出された姿勢角度Ｘの値が、０°≦Ｘ＜４５°、或いは、３１５°≦Ｘ＜３６０°の範囲内である場合には、ステップＳ２０５に進む。
【００６２】
ステップＳ２０５に進むと、システムコントロール部１０７は、ステップＳ２０３で作成された撮影画像ファイルの記録先を、「横姿勢（上）」記録媒体に決定する。
【００６３】
ここで、記録先となる記録媒体の設定について説明する。
図６は、記録先記録媒体の設定を行うためのメニュー画面の一例を示す模式図である。このメニュー画面による記録先記録媒体の設定は、例えば、撮影前に予め行われる。また、図７は、記録先記録媒体が未設定である場合のメニュー画面の一例を示す模式図である。例えば、図６及び図７に示すメニュー画面は、操作入力部１０８の表示画面に表示される。この場合、図６及び図７に示すメニュー画面は、例えば、表示部１０６に表示されてもよい。
【００６４】
図６（ａ）には、撮影装置１００の撮影装置本体の姿勢と、当該姿勢で撮影された撮影画像ファイルを記録する記録媒体との対応関係が示されている。具体的に、図６（ａ）には、撮影装置本体の姿勢が横姿勢（上）である場合に、当該姿勢で撮影された撮影画像ファイルを第１の記録媒体１１２（ＳＤ１）／第２の記録媒体１１３（ＳＤ２）に記録する設定の例が示されている。同様に、図６（ａ）には、撮影装置本体の姿勢が、それぞれ、縦姿勢（右）、縦姿勢（左）である場合に、当該姿勢で撮影された撮影画像ファイルを内蔵記録媒体１１０（ＨＤＤ）に記録する設定の例が示されている。また、図６（ａ）には、撮影装置本体の姿勢が横姿勢（下）である場合に、当該姿勢で撮影された撮影画像ファイルを第１の記録媒体１１２（ＳＤ１）に記録する設定の例が示されている。
【００６５】
ここで、本実施形態では、図６（ａ）に示す横姿勢（上）のように、複数の記録媒体を同時に記録先として設定（決定）することが可能である。この場合、例えば、第１の記録媒体１１２（ＳＤ１）、第２の記録媒体１１３（ＳＤ２）、・・・の順番に優先順位を設定し、優先順位の高い記録媒体から撮影画像ファイルを記録するようにすることができる。
【００６６】
図６（ｂ）は、撮影装置１００の撮影装置本体の姿勢ごとに、記録先記録媒体を設定する際のイメージを示したものである。また、記録先記録媒体が未設定である場合には、図７に示すメニュー画面が表示されて、記録先記録媒体の設定が行われることになる。
【００６７】
なお、本例では、図６に示すメニュー画面により記録先記録媒体の設定を行うようにしているが、必ずしもこの形態に限定されるものではない。例えば、メニュー画面による記録先記録媒体の設定を行わずに、撮影装置１００の各姿勢に対応させて、当該撮影装置に備えられている記録媒体を任意に割り当てるようにした形態であってもよい。
【００６８】
ここで、再び図５の説明に戻る。
図５のステップＳ２０５では、撮影画像ファイルの記録先が「横姿勢（上）」記録媒体に決定されるため、図６に示す例では、第１の記録媒体１１２（ＳＤ１）／第２の記録媒体１１３（ＳＤ２）が、記録先記録媒体として決定される。
【００６９】
一方、ステップＳ２０４の判断の結果、ステップＳ２０２で検出された姿勢角度Ｘの値が、０°≦Ｘ＜４５°、或いは、３１５°≦Ｘ＜３６０°の範囲内でない場合には、ステップＳ２０６に進む。
【００７０】
ステップＳ２０６に進むと、システムコントロール部１０７は、ステップＳ２０２で検出された姿勢角度Ｘの値が、４５°≦Ｘ＜１３５°の範囲内であるか否かを判断する。
【００７１】
ステップＳ２０６の判断の結果、ステップＳ２０２で検出された姿勢角度Ｘの値が、４５°≦Ｘ＜１３５°の範囲内である場合には、ステップＳ２０７に進む。
【００７２】
ステップＳ２０７に進むと、システムコントロール部１０７は、ステップＳ２０３で作成された撮影画像ファイルの記録先を、「縦姿勢（右）」記録媒体に決定する。具体的に、図６に示す例では、「縦姿勢（右）」記録媒体として設定されている内蔵記録媒体１１０（ＨＤＤ）が、記録先記録媒体として決定される。
【００７３】
一方、ステップＳ２０６の判断の結果、ステップＳ２０２で検出された姿勢角度Ｘの値が、４５°≦Ｘ＜１３５°の範囲内でない場合には、ステップＳ２０８に進む。
【００７４】
ステップＳ２０８に進むと、システムコントロール部１０７は、ステップＳ２０２で検出された姿勢角度Ｘの値が、１３５°≦Ｘ＜２２５°の範囲内であるか否かを判断する。
【００７５】
ステップＳ２０８の判断の結果、ステップＳ２０２で検出された姿勢角度Ｘの値が、１３５°≦Ｘ＜２２５°の範囲内である場合には、ステップＳ２０９に進む。
【００７６】
ステップＳ２０９に進むと、システムコントロール部１０７は、ステップＳ２０３で作成された撮影画像ファイルの記録先を、「横姿勢（下）」記録媒体に決定する。具体的に、図６に示す例では、「横姿勢（下）」記録媒体として設定されている第１の記録媒体１１２（ＳＤ１）が、記録先記録媒体として決定される。
【００７７】
一方、ステップＳ２０８の判断の結果、ステップＳ２０２で検出された姿勢角度Ｘの値が、１３５°≦Ｘ＜２２５°の範囲内でない場合（即ち、２２５°≦Ｘ＜３１５°の範囲内である場合）には、ステップＳ２１０に進む。
【００７８】
ステップＳ２１０に進むと、システムコントロール部１０７は、ステップＳ２０３で作成された撮影画像ファイルの記録先を、「縦姿勢（左）」記録媒体に決定する。具体的に、図６に示す例では、「縦姿勢（左）」記録媒体として設定されている内蔵記録媒体１１０（ＨＤＤ）が、記録先記録媒体として決定される。
【００７９】
ステップＳ２０５、Ｓ２０７、Ｓ２０９、或いは、Ｓ２１０の処理が終了すると、ステップＳ２１１に進む。ここで、このステップＳ２０５、Ｓ２０７、Ｓ２０９、或いは、Ｓ２１０の処理を行うシステムコントロール部１０７は、記録先決定手段を構成する。
【００８０】
ステップＳ２１１に進むと、システムコントロール部１０７は、ステップＳ２０３で作成された撮影画像ファイルを、ステップＳ２０５、Ｓ２０７、Ｓ２０９、或いは、Ｓ２１０で決定した記録先記録媒体に記録（保存）する制御を行う。ここで、このステップＳ２１１の処理を行うシステムコントロール部１０７は、記録制御手段を構成する。
【００８１】
そして、ステップＳ２１１の処理が終了すると、図５に示すフローチャートの処理が終了する。
【００８２】
第２の実施形態によれば、撮影装置の姿勢を検出し（Ｓ２０２）、その姿勢に応じて撮影画像ファイルを各記録媒体に記録するようにしたので（Ｓ２０４〜Ｓ２１１）、撮影画像ファイルを撮影装置の姿勢ごとに分類して記録することができる。これにより、記録される撮影画像ファイルを１つ１つ開くこと無く、その撮影画像の向き（横画像なのか縦画像なのか等）を把握することができる。さらに、スライドショー等の再生を行う際においても、再生画像を見易くすることが可能となる。
【００８３】
（第３の実施形態）
次に、本発明の第３の実施形態について説明する。
第３の実施形態に係る撮影装置の概略構成は、図１に示す第１の実施形態に係る撮影装置１００と同様である。
【００８４】
図８は、本発明の第３の実施形態に係る撮影装置の画像再生方法における処理手順の一例を示すフローチャートである。具体的に、図８には、例えば、ＤＶＣデジタルカムコーダ等の撮影装置１００において、画像再生動作時にスライドショーキーが押されて、スライドショーを開始するまでの処理が示されている。なお、図８に示すフローチャートは、例えば、図２に示すフローチャートの処理が終了した後に行われるものである。
【００８５】
撮影装置１００の操作入力部１０８における電源スイッチがＯＮされて、操作入力部１０８における動作切替スイッチが再生状態となると、図８に示すフローチャートが開始される。
【００８６】
まず、ステップＳ３０１において、システムコントロール部１０７は、操作入力部１０８におけるスライドショーキーが操作されて当該スライドショーキーがＯＮになったか否かを判断する。この判断の結果、スライドショーキーがＯＮになっていない場合には、スライドショーキーがＯＮになるまで、ステップＳ３０１で待機する。
【００８７】
一方、ステップＳ３０１の判断の結果、スライドショーキーがＯＮになった場合には、ステップＳ３０２に進む。ステップＳ３０２に進むと、姿勢検出部１０９は、システムコントロール部１０７の制御に基づいて、当該撮影装置１００の撮影装置本体の姿勢を検出する。具体的に、姿勢検出部１０９は、撮影装置本体の姿勢角度Ｘを算出して、当該撮影装置本体の姿勢の検出を行う。この際、姿勢角度Ｘの基準となる姿勢角度０°の定義は、上述したステップＳ１０２と同様である。
【００８８】
続いて、ステップＳ３０３において、システムコントロール部１０７は、ステップＳ３０２で検出された姿勢角度Ｘの値が、０°≦Ｘ＜４５°、或いは、３１５°≦Ｘ＜３６０°の範囲内であるか否かを判断する。
【００８９】
ステップＳ３０３の判断の結果、ステップＳ３０２で検出された姿勢角度Ｘの値が、０°≦Ｘ＜４５°、或いは、３１５°≦Ｘ＜３６０°の範囲内である場合には、ステップＳ３０４に進む。
【００９０】
ステップＳ３０４に進むと、システムコントロール部１０７は、スライドショーで再生対象の撮影画像ファイルの記録先であるフォルダ（以下、「再生元フォルダ」と称する）を、「横姿勢（上）」フォルダに決定する。
【００９１】
ここで、再生元フォルダの設定について説明する。
図９は、再生元フォルダの設定を行うためのメニュー画面の一例を示す模式図である。このメニュー画面による再生元フォルダの設定は、例えば、再生前に予め行われる。例えば、図９に示すメニュー画面は、操作入力部１０８の表示画面に表示される。この場合、図９に示すメニュー画面は、例えば、表示部１０６に表示されてもよい。
【００９２】
図９（ａ）には、撮影装置１００の撮影装置本体の姿勢と、再生元フォルダとの対応関係が示されている。具体的に、図９（ａ）には、撮影装置本体の姿勢が横姿勢（上）である場合に、Ａフォルダに記録されている撮影画像ファイルのスライドショー再生を行う設定の例が示されている。また、図９（ａ）には、撮影装置本体の姿勢が、それぞれ、縦姿勢（右）、縦姿勢（左）、横姿勢（下）である場合に、それぞれ、Ｂフォルダ、Ｃフォルダ、すべてのフォルダに記録されている撮影画像ファイルのスライドショー再生を行う設定の例が示されている。
【００９３】
ここで、本実施形態では、図９（ａ）に示す横姿勢（下）のように、複数のフォルダを同時に再生元フォルダとして設定（決定）することが可能である。この場合、例えば、Ａフォルダ、Ｂフォルダ、・・・の順番に優先順位を設定し、優先順位の高いフォルダの撮影画像ファイルから順番に再生を行うようにすることができる。
【００９４】
なお、図９（ａ）では、撮影装置本体の姿勢が横姿勢（下）である場合に、すべてのフォルダを再生元フォルダとする設定となっているが、例えば、図３（ａ）に示す記録先フォルダの設定に対応させて、Ａフォルダを再生元フォルダとする設定であってもよい。この場合、スライドショーの再生では、第１の実施形態において姿勢別に記録した各フォルダの撮影画像ファイルが、当該姿勢ごとに再生されることになる。
【００９５】
図９（ｂ）は、撮影装置１００の撮影装置本体の姿勢ごとに、再生元フォルダを設定する際のイメージを示したものである。なお、本例では、図９に示すメニュー画面により再生元フォルダの設定を行うようにしているが、必ずしもこの形態に限定されるものではない。例えば、メニュー画面による再生元フォルダの設定を行わずに、撮影装置１００の各姿勢に応じて、対応するフォルダを決定するようにした形態であってもよい。
【００９６】
ここで、再び図８の説明に戻る。
図８のステップＳ３０４では、再生元フォルダが「横姿勢（上）」フォルダに決定されるため、図９に示す例では、記録媒体（本例では、内蔵記録媒体１１０）のＡフォルダが、再生元フォルダとして決定される。
【００９７】
一方、ステップＳ３０３の判断の結果、ステップＳ３０２で検出された姿勢角度Ｘの値が、０°≦Ｘ＜４５°、或いは、３１５°≦Ｘ＜３６０°の範囲内でない場合には、ステップＳ３０５に進む。
【００９８】
ステップＳ３０５に進むと、システムコントロール部１０７は、ステップＳ３０２で検出された姿勢角度Ｘの値が、４５°≦Ｘ＜１３５°の範囲内であるか否かを判断する。
【００９９】
ステップＳ３０５の判断の結果、ステップＳ３０２で検出された姿勢角度Ｘの値が、４５°≦Ｘ＜１３５°の範囲内である場合には、ステップＳ３０６に進む。
【０１００】
ステップＳ３０６に進むと、システムコントロール部１０７は、再生元フォルダを、「縦姿勢（右）」フォルダに決定する。具体的に、図９に示す例では、「縦姿勢（右）」フォルダとして設定されている記録媒体（本例では、内蔵記録媒体１１０）のＢフォルダが、再生元フォルダとして決定される。
【０１０１】
一方、ステップＳ３０５の判断の結果、ステップＳ３０２で検出された姿勢角度Ｘの値が、４５°≦Ｘ＜１３５°の範囲内でない場合には、ステップＳ３０７に進む。
【０１０２】
ステップＳ３０７に進むと、システムコントロール部１０７は、ステップＳ３０２で検出された姿勢角度Ｘの値が、１３５°≦Ｘ＜２２５°の範囲内であるか否かを判断する。
【０１０３】
ステップＳ３０７の判断の結果、ステップＳ３０２で検出された姿勢角度Ｘの値が、１３５°≦Ｘ＜２２５°の範囲内である場合には、ステップＳ３０８に進む。
【０１０４】
ステップＳ３０８に進むと、システムコントロール部１０７は、再生元フォルダを、「横姿勢（下）」フォルダに決定する。具体的に、図９に示す例では、「横姿勢（下）」フォルダとして設定されている記録媒体（本例では、内蔵記録媒体１１０）のすべてのフォルダが、再生元フォルダとして決定される。
【０１０５】
一方、ステップＳ３０７の判断の結果、ステップＳ３０２で検出された姿勢角度Ｘの値が、１３５°≦Ｘ＜２２５°の範囲内でない場合（即ち、２２５°≦Ｘ＜３１５°の範囲内である場合）には、ステップＳ３０９に進む。
【０１０６】
ステップＳ３０９に進むと、システムコントロール部１０７は、再生元フォルダを、「縦姿勢（左）」フォルダに決定する。具体的に、図９に示す例では、「縦姿勢（左）」フォルダとして設定されている記録媒体（本例では、内蔵記録媒体１１０）のＣフォルダが、再生元フォルダとして決定される。
【０１０７】
ステップＳ３０４、Ｓ３０６、Ｓ３０８、或いは、Ｓ３０９の処理が終了すると、ステップＳ３１０に進む。ここで、このステップＳ３０４、Ｓ３０６、Ｓ３０８、或いは、Ｓ３０９の処理を行うシステムコントロール部１０７は、再生元決定手段を構成する。
【０１０８】
ステップＳ３１０に進むと、システムコントロール部１０７は、ステップＳ３０４、Ｓ３０６、Ｓ３０８、或いは、Ｓ３０９で決定した再生元フォルダ内に記録されている撮影画像ファイルのスライドショーの再生を開始する制御を行う。ここで、このステップＳ３１０の処理を行うシステムコントロール部１０７は、再生制御手段を構成する。
【０１０９】
ステップＳ３１０において、スライドショーの再生が開始されると、例えば、表示部１０６に、異なる撮影画像が一定間隔で順番に連続して表示されることになる。そして、スライドショーの再生処理が終了すると、図８に示すフローチャートの処理が終了する。
【０１１０】
第３の実施形態によれば、撮影装置の姿勢を検出し（Ｓ３０２）、その姿勢に応じて、記録媒体の各フォルダに記録されている撮影画像ファイルをスライドショー再生するため（Ｓ３０３〜Ｓ３１０）、再生画像を見易くすることが可能となる。
【０１１１】
（第４の実施形態）
次に、本発明の第４の実施形態について説明する。
第３の実施形態では、再生元フォルダを再生元とする形態であったが、第４の実施形態では、スライドショーで再生対象の撮影画像ファイルの記録先である記録媒体（以下、「再生元記録媒体」と称する）を再生元とする形態である。なお、以下の説明では、第３の実施形態に対して異なる点のみについて説明する。
【０１１２】
本実施形態の場合、画像記録方法に関しては、第２の実施形態における図５に示すフローチャートの処理が前提となる。そして、本実施形態の画像再生方法では、図８に示すステップＳ３０４、Ｓ３０６、Ｓ３０８及びＳ３０９において、それぞれ、撮影装置本体の姿勢に応じた再生元記録媒体を決定する形態を採る。そして、図８に示すステップＳ３１０では、撮影装置本体の姿勢に応じてそれぞれ決定された再生元記録媒体内に記録されている撮影画像ファイルのスライドショーの再生を開始する制御を行う。
【０１１３】
その後、例えば、表示部１０６に、スライドショーの再生に係る撮影画像が表示されることになる。そして、スライドショーの再生処理が終了すると、本実施形態における画像再生方法の処理が終了する。
【０１１４】
第４の実施形態によれば、撮影装置の姿勢を検出し、その姿勢に応じて、各記録媒体に記録されている撮影画像ファイルをスライドショー再生するため、再生画像を見易くすることが可能となる。
【０１１５】
前述した各実施形態に係る撮影装置１００の制御方法を示す図２、図５及び図８の各ステップは、コンピュータのＣＰＵがＲＡＭやＲＯＭなどに記憶されたプログラムを実行することによって実現できる。このプログラム及び当該プログラムを記録したコンピュータ読み取り可能な記憶媒体（記録媒体）は本発明に含まれる。
【０１１６】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１１７】
また、本発明は、コンピュータが供給されたプログラムを実行することにより各実施形態に係る撮影装置１００の機能が実現される態様に限られない。そのプログラムがコンピュータにおいて稼働しているＯＳ（オペレーティングシステム）或いは他のアプリケーションソフト等と共同して各実施形態に係る撮影装置１００の機能が実現される場合も、かかるプログラムは本発明に含まれる。また、供給されたプログラムの処理の全て、或いは一部がコンピュータの機能拡張ボードや機能拡張ユニットにより行われて各実施形態に係る撮影装置１００の機能が実現される場合も、かかるプログラムは本発明に含まれる。
【０１１８】
また、前述した本実施形態は、何れも本発明を実施するにあたっての具体化の例を示したものに過ぎず、これらによって本発明の技術的範囲が限定的に解釈されてはならないものである。即ち、本発明はその技術思想、またはその主要な特徴から逸脱することなく、様々な形で実施することができる。
【図面の簡単な説明】
【０１１９】
【図１】本発明の実施形態に係る撮影装置の概略構成の一例を示す図である。
【図２】本発明の第１の実施形態に係る撮影装置の画像記録方法における処理手順の一例を示すフローチャートである。
【図３】本発明の第１の実施形態を示し、記録先フォルダの設定を行うためのメニュー画面の一例を示す模式図である。
【図４】本発明の第１の実施形態を示し、記録先フォルダが未設定である場合のメニュー画面の一例を示す模式図である。
【図５】本発明の第２の実施形態に係る撮影装置の画像記録方法における処理手順の一例を示すフローチャートである。
【図６】本発明の第２の実施形態を示し、記録先記録媒体の設定を行うためのメニュー画面の一例を示す模式図である。
【図７】本発明の第２の実施形態を示し、記録先記録媒体が未設定である場合のメニュー画面の一例を示す模式図である。
【図８】本発明の第３の実施形態に係る撮影装置の画像再生方法における処理手順の一例を示すフローチャートである。
【図９】本発明の第３の実施形態を示し、再生元フォルダの設定を行うためのメニュー画面の一例を示す模式図である。
【符号の説明】
【０１２０】
１００：撮影装置
１０１：レンズ
１０２：撮像部
１０３：画像信号処理部
１０４：画像処理部
１０５：表示制御部
１０６：表示部
１０７：システムコントロール部
１０８：操作入力部
１０９：姿勢検出部
１１０：内蔵記録媒体
１１１：記録媒体インターフェース部
１１２：第１の記録媒体
１１３：第２の記録媒体
【図１】
0005279326.tif 000002
【図２】
0005279326.tif 000003
【図３】
0005279326.tif 000004
【図４】
0005279326.tif 000005
【図５】
0005279326.tif 000006
【図６】
0005279326.tif 000007
【図７】
0005279326.tif 000008
【図８】
0005279326.tif 000009
【図９】
0005279326.tif 000010